(57)【要約】【課題】処理する紙葉類の汚損度に応じて紙葉類を搬送する搬送速度を可変することにより汚損券のジャム発生頻度を低下させ処理能力を向上する紙葉類処理装置を提供する。【解決手段】最初に、処理する紙葉類束Ｐｓの正損判別レベルが操作表示部２から設定される（Ｓ４０）。設定された正損判別レベルに基づいて搬送速度データが読み出され、読み出された搬送速度データに基づいて搬送速度切換え処理が行われ（Ｓ４２）、搬送速度が設定される。紙葉類束Ｐｓの最上面の紙葉類Ｐから順番に取り出されて設定された搬送速度で送られる。また、搬送路に配置された紙葉類判別部５０によって当該紙葉類Ｐの正損レベルが生成される。生成された正損レベルは紙葉類束Ｐｓに付いて加算され、その平均正損レベルが算出される（Ｓ４３）。この算出された平均正損レベルに基づき搬送速度データが読み出され次の紙葉類束Ｐｓの搬送速度が設定される（Ｓ４６）。【選択図】図６
2009102090.tif 000002
【特許請求の範囲】
【請求項１】
供給部に供給された紙葉類束から紙葉類を１枚ずつ取り出して搬送する搬送路と、この搬送路によって搬送される前記紙葉類を検知する紙葉類検知装置と、この紙葉類検知装置による検知結果に基づいて当該紙葉類を区分して集積する集積装置と、を備えた紙葉類処理装置であって、
前記紙葉類の搬送速度を切換える搬送速度切換え手段と、
この搬送速度切換え手段によって切換えられたポジションに応じて搬送速度を設定する搬送速度設定手段と、
この搬送速度設定手段で設定された搬送速度に基づいて、前記搬送路、前記紙葉類検知装置及び前記集積装置の動作を設定するパラメータ設定手段と、
を備えたことを特徴とする紙葉類処理装置。
【請求項２】
前記搬送速度切換え手段は、
複数のポジションを設定するスイッチ手段、又は複数のポジションを入力若しくは選択可能な入力手段で構成され、
前記搬送速度設定手段は、
前記搬送速度切換え手段によって設定されたポジションに対応する搬送速度を読み出して設定する設定手段で構成され、
前記パラメータ設定手段は、
前記搬送路を制御する搬送制御部、前記紙葉類検知装置を制御する検知制御部及び前記集積装置に前記搬送速度を送信する送信手段を有し、
前記搬送制御部、前記検知制御部及び前記集積装置は、受信した搬送速度に応じて動作に必要な各種設定値を設定する設定手段を有することを特徴とする請求項１記載の紙葉類処理装置。
【請求項３】
供給部に供給された紙葉類束から紙葉類を１枚ずつ取り出して搬送する搬送路と、この搬送路によって搬送される前記紙葉類を検知する紙葉類検知装置と、この紙葉類検知装置による検知結果に基づいて当該紙葉類を区分して集積する集積装置と、を備えた紙葉類処理装置であって、
前記紙葉類の正損を判別する正損判別レベルを設定する手段と、
この正損判別レベルに応じて搬送速度を設定する搬送速度設定手段と、
この搬送速度設定手段で設定された搬送速度に基づいて、前記搬送路、前記紙葉類検知装置及び前記集積装置の動作を設定するパラメータ設定手段と、
を備えたことを特徴とする紙葉類処理装置。
【請求項４】
供給部に供給された紙葉類束から紙葉類を１枚ずつ取り出して搬送する搬送路と、この搬送路によって搬送される前記紙葉類を検知する紙葉類検知装置と、この紙葉類検知装置による検知結果に基づいて当該紙葉類を区分して集積する集積装置と、前記紙葉類の正損を判別する正損判別レベルを設定する手段と、を備えた紙葉類処理装置の搬送速度設定方法であって、
前記正損判別レベルに基づいて、対応付けられた搬送速度を読み出して設定する第１の工程と、
この第１の工程によって設定された搬送速度に基づいてパラメータ設定手段により搬送路、紙葉類検知装置及び集積装置の動作を設定する第２工程と、
この第２工程によって設定された搬送速度で前記紙葉類を搬送する第３工程と、
この第３工程で搬送された当該紙葉類を前記紙葉類検知装置で検知すると共に正損レベル算出手段によって正損レベルを算出する第４工程と、
この第４工程によって算出された正損レベルを前記紙葉類束の範囲で加算し、その平均値である平均正損レベルを算出する第５工程と、
最初の紙葉類束の処理終了後、続けて紙葉類束が前記供給部に供給されたとき、この紙葉類束から前記紙葉類を１枚ずつ取り出して搬送する搬送速度を、前記第５工程で算出した平均正損レベルに基づいて設定する第６工程と、
を備えたことを特徴とする紙葉類処理装置の搬送速度設定方法。
【発明の詳細な説明】
【技術分野】
【０００１】
本発明は、有価証券などの紙葉類の処理装置に関し、特に紙葉類の汚損度によって搬送速度を設定する紙葉類処理装置及び搬送速度設定方法に関する。
【背景技術】
【０００２】
有価証券などの紙葉類を処理する紙葉類処理装置は、処理単位に応じて一括して投入された紙葉類束（例えば、１０００枚）から取出装置によって紙葉類を１枚ずつ取出して搬送し、紙葉類判別装置によって当該紙葉類の品質（形状、損傷など）を判別し、正常な券（以下、正券と称する。）、不良券（以下、損券と称する。）及び搬送異状券や２枚取り券などの排除券に区分して集積装置によって一次集積し、その一次集積された枚数が所定の枚数（例えば、１００枚）に達した場合は、帯などで結束して把Ｈを形成する装置である。
【０００３】
上記従来の紙葉類処理装置において、当該処理する紙葉類を一定速度で搬送するのが基本であるが、紙葉類の大きさが異なる場合に一定の処理量を確保するために、供給部に供給された紙葉類が搬送路に送り出される最初の紙葉類の大きさを検知して種別を判別し、その種別に応じて紙葉類の搬送速度を設定する方法が知られている（例えば、特許文献１参照。）。
【特許文献１】特開７−２６７４０２号公報  （第２−３頁、図３−図４）
【発明の開示】
【発明が解決しようとする課題】
【０００４】
しかしながら、上記従来の紙葉類処理装置では、紙葉類の種別が同一の場合に付いては速度変更ができないため、汚損している損券の場合上記正券と同じ搬送速度で搬送され、搬送中の負荷により破れ・切れなどが発生しやすいという課題がある。さらに、装置の処理能力向上のため搬送速度が速い装置においては、搬送中の処理媒体（紙葉類）への負荷が増大し、結果的に汚損券のジャム発生頻度が増加し、処理能力が上がらないという課題があった。
【０００５】
本発明は、上記課題を解決するためになされたもので、処理する紙葉類の汚損度に応じて紙葉類を搬送する搬送速度を可変することにより汚損券のジャム発生頻度を低下させ処理能力を向上する紙葉類処理装置及び搬送速度設定方法を提供することを目的とする。
【課題を解決するための手段】
【０００６】
上記目的を達成するために、本発明の請求項１記載の紙葉類処理装置は、供給部に供給された紙葉類束から紙葉類を１枚ずつ取り出して搬送する搬送路と、この搬送路によって搬送される前記紙葉類を検知する紙葉類検知装置と、この紙葉類検知装置による検知結果に基づいて当該紙葉類を区分して集積する集積装置と、を備えた紙葉類処理装置であって、前記紙葉類の搬送速度を切換える搬送速度切換え手段と、この搬送速度切換え手段によって切換えられたポジションに応じて搬送速度を設定する搬送速度設定手段と、この搬送速度設定手段で設定された搬送速度に基づいて、前記搬送路、前記紙葉類検知装置及び前記集積装置の動作を設定するパラメータ設定手段と、を備えたことを特徴とする。
【０００７】
また、本発明の請求項４記載の紙葉類処理装置の搬送速度切換え方法は、供給部に供給された紙葉類束から紙葉類を１枚ずつ取り出して搬送する搬送路と、この搬送路によって搬送される前記紙葉類を検知する紙葉類検知装置と、この紙葉類検知装置による検知結果に基づいて当該紙葉類を区分して集積する集積装置と、前記紙葉類の正損を判別する正損判別レベルを設定する手段と、を備えた紙葉類処理装置の搬送速度設定方法であって、前記正損判別レベルに基づいて、対応付けられた搬送速度を読み出して設定する第１の工程と、この第１の工程によって設定された搬送速度に基づいてパラメータ設定手段により搬送路、紙葉類検知装置及び集積装置の動作を設定する第２工程と、この第２工程によって設定された搬送速度で前記紙葉類を搬送する第３工程と、この第３工程で搬送された当該紙葉類を前記紙葉類検知装置で検知すると共に正損レベル算出手段によって正損レベルを算出する第４工程と、この第４工程によって算出された正損レベルを前記紙葉類束の範囲で加算し、その平均値である平均正損レベルを算出する第５工程と、最初の紙葉類束の処理終了後、続けて紙葉類束が前記供給部に供給されたとき、この紙葉類束から前記紙葉類を１枚ずつ取り出して搬送する搬送速度を、前記第５工程で算出した平均正損レベルに基づいて設定する第６工程と、を備えたことを特徴とする。
【発明の効果】
【０００８】
本発明によれば、処理する紙葉類の汚損度に応じて紙葉類を搬送する搬送速度を可変することができるので、汚損紙葉類のダメージを低減し、さらに汚損紙葉類のジャム発生頻度を低減できる。
【発明を実施するための最良の形態】
【０００９】
以下、図面を参照して本発明の実施例を説明する。
【実施例１】
【００１０】
図１は、本発明の実施例１に係る搬送速度を可変することができる紙葉類処理装置である。紙葉類処理装置１は、操作表示部２と接続される。操作員が当該紙葉類処理装置１で処理する紙葉類Ｐの種類（券種）、搬送方向、処理単位、正損判別レベル及び本発明に係る紙葉類搬送速度などを設定することができる。
【００１１】
紙葉類処理装置１は、有価証券などの紙葉類Ｐの真偽（真券か偽券か）又は正損（再流通可能な正券か再流通不可能な損券か）を判別し、正券は集積装置３０・３１に集積し、損券は集積装置３２・３３に集積する。
【００１２】
このようにして集積された正券又は損券は、集積装置の下部に配置された結束装置（図示しない）で結束される。
【００１３】
紙葉類処理装置１には、集積された紙葉類Ｐを一括して供給する供給部１０が設けられている。この供給部１０に集積された紙葉類Ｐは、取出ロータ１０Ａによって一定間隔で１枚ずつ取り出され、搬送路（搬送手段）２０によって搬送される。
【００１４】
このようにして、取出ロータ１０Ａによって供給部１０から取り出された紙葉類Ｐは、紙葉類判別部５０によって判別される。紙葉類判別部５０は、紙葉類Ｐの物理的特性を検知して判別するもので、複数の紙葉類検知装置５２〜５６で構成されており、搬送方向下流に向かって搬送路２０に設けられている。
【００１５】
取出検知部２１は、供給部１０から取り出された紙葉類Ｐの取り出し状態を検知し、検知結果を搬送制御部３６に送信する。この取出し状態の検知結果が、例えば、２枚取りなどの複数枚取り出し、搬送ピッチ詰まりなどの搬送異状の場合は、搬送方向下流に搬送して処理する振分ゲートで振り分けられないなどの障害が発生しやすいため、これらの搬送異状を搬送制御部３６に送信する。
【００１６】
搬送制御部３６は、この搬送異状を受信した場合には、当該紙葉類Ｐの搬送方向を振り分ける振分けゲートＧ１を回動して排除券集積庫３４に集積する。なお、この排除券集積庫３４に集積された排除券は再供給することが可能である。
【００１７】
図２は、本発明の実施例１に係る搬送速度切換え手段としてのスイッチ及びジョグダイヤル図である。このスイッチ２ａ及びジョグダイヤル２ｂは、操作員によって設定される。
【００１８】
搬送速度切換え手段としてスイッチ２ａを用いた場合には、操作員が当該紙葉類処理装置１で処理する紙葉類束Ｐｓの品質によって、例えば、紙葉類束Ｐｓが全体として品質が悪い場合にはスイッチ２ａをオンし、搬送速度を低速搬送に切換えて紙葉類Ｐを搬送する。一方、通常品質の場合には、スイッチ２ａをオフして搬送速度を標準搬送速度に切換えてで搬送する。
【００１９】
また、搬送速度切換え手段としてジョグダイヤル２ｂを用いることができる。この場合には、本発明に係る紙葉類Ｐの正損レベル（汚損度）に応じてジョグダイヤル２ｂを設定することができる。
【００２０】
次に、上記正損レベルの算出方法を説明する。搬送される紙葉類Ｐの透過光及び反射光を搬送路２０に配置された紙葉類検知装置５２〜５６によって検知する。一般的に、汚損された紙葉類Ｐの反射光量及び透過光量は、汚損されていない紙葉類Ｐに比べて小さい値になることが知られており、その値の変化を用いることによって紙葉類Ｐの汚損の程度を測定することができる。この汚損の程度を示すレベルのことを正損レベルと称し、紙葉類Ｐごとに付与される。この正損レベルは、正券であっても、損券であっても、正損レベルが付与される。
【００２１】
紙葉類処理装置１では、この正損レベルに対する正損判別レベルが操作員によって設定される。例えば、正損判別レベルが１０段階の５に設定されている場合には、搬送された紙葉類Ｐの正損レベルが５以上の場合は正券と判別され、５未満の場合は損券と判別される。
【００２２】
上記ジョグダイヤル２ｂの設定を、上記正損判別レベルに応じて設定する方法を説明する。
【００２３】
最初に、処理する紙葉類束Ｐｓを券種ごとに所定枚数搬送してその正損レベルを収集し、統計的手法によって正損レベルの分布を生成する。この分布に基づいて、例えば、上記券種ごとに紙葉類の正損レベルの下位５パーセントが含まれる正損判別レベルを１とし、下位１０パーセントまで含まれる正損判別レベルを２とする。以下同様に正損判別レベルの下位５０パーセントが含まれる正損判別レベルを１０に設定する。この設定は５パーセント単位に行ったが、これに限るものではなく。例えば３パーセント単位に設定してもよい。この設定の基準は、当該紙葉類処理装置によって処理される紙葉類の品質によって設定される。
【００２４】
次に、上記ジョグダイヤル２ｂの設定を上記正損判別レベルに対応させる。この場合の効果は以下のようになる。通常、処理する紙葉類束Ｐｓの品質を見て、操作員は、正損判別レベルを設定するか、又は処理する紙葉類束Ｐｓの一定割合を損券にするよう決められている場合がある。例えば、約２５パーセントの紙葉類Ｐを損券とすることが決められている場合、処理する紙葉類束Ｐｓの品質が標準的であれば、操作員は、損券判別レベルを５に設定すればよい。この結果、上述したように２５パーセントの紙葉類Ｐが損券に判別される。
【００２５】
一方、処理する紙葉類Ｐの品質が標準より悪い場合には、損券枚数が２５パーセントを越す場合があるため、損券判別レベルを４又は３に設定することが考えられる。
【００２６】
以上のことから、損券判別レベルを５に設定した場合の搬送速度に比べて、損券判別レベルを４に設定した場合の搬送速度が遅くなる。このように設定することによって、処理する紙葉類処理装置１の搬送速度を処理する紙葉類束Ｐｓの品質によって変えることができる。
【００２７】
図３は、本発明の実施例による搬送速度切換えに用いる搬送速度切換えスイッチ２ａ又はジョグダイヤル２ｂを説明する図である。
【００２８】
図３は、図１に示す紙葉類処理装置１において、パラメータ設定手段の流れを説明する図である。この図を参照して、上記搬送速度切換えスイッチ２ａ又はジョグダイヤル２ｂによって搬送速度が変更された場合の動作を説明する。この搬送速度変更は、各装置のパラメータを設定することによって行われる。
【００２９】
最初に、操作員によって操作表示部２から運転開始が指示されると、その結果は、主制御部３７に通知される（Ｓ１）。
【００３０】
主制御部３７は、パラメータ設定手段として、搬送速度設定手段によって設定された搬送速度データを読み込み、読み込んだ搬送速度を搬送制御部３６、集積装置３０〜３３、及び検知制御部５１に送信する（Ｓ２〜Ｓ４、送信手段）。
【００３１】
搬送速度設定手段は、搬送速度切換え手段によって設定されたポジションに対応する搬送速度データを読み込み、搬送速度を設定する。
【００３２】
検知制御部５１は、各紙葉類検知装置５２〜５６に搬送速度を送信する（Ｓ５〜Ｓ９、送信手段）。
【００３３】
搬送制御部３６は、搬送速度変更（設定）に伴い、以下に示す各種設定値（パラメータ）を設定する（Ｓ１０、設定手段）。この設定によって各種設定値が変更になる場合がある。
【００３４】
（１）設定された搬送速度で搬送路２０が駆動されるようにエンコード信号を用いたフィードバック処理を実施する。  
（２）搬送される紙葉類Ｐを検知する搬送センサ（図示しない）間の搬送時間、搬送センサでの券長時間など搬送状態監視閾値を搬送速度に合わせて変更（設定）する。  
（３）搬送センサへ紙葉類Ｐが到達したときの区分ゲートＧ１〜Ｇ４の駆動タイミングを設定する。  
（４）紙葉類Ｐの搬送ピッチ、搬送ギャップ異状を検知する閾値を設定する。  
（５）紙葉類搬送中の各種チェックタイミング（各紙葉類検知装置５２〜５６の判定結果取得タイミング）を設定する。
【００３５】
搬送制御部３６は、上記（１）〜（５）の変更が終了するとその結果を主制御部３７に通知する（Ｓ１０ａ）。
【００３６】
集積装置３０〜３３は、搬送速度変更に伴い、以下に示す各種設定を行う（Ｓ１１）。
【００３７】
（１）紙葉類１枚ごとの集積羽根車（図示しない）制御を行う。搬送速度が変更になると、集積羽根車の羽根と羽根の間で当該紙葉類Ｐを集積するために、搬送速度の変更に伴って、羽根車の回転速度を設定する（Ｓ１１）。  
（２）集積装置３０〜３３の変更が終了するとその結果を主制御部３７に通知する（Ｓ１１ａ）。
【００３８】
検知制御部５１、及び各紙葉類検知装置５２〜５６は、搬送速度変更に伴い、以下に示す各種設定を行う（Ｓ１２，Ｓ１３〜Ｓ１７）。
【００３９】
（１）紙葉類検知装置５２〜５６での紙葉類Ｐの検知開始タイミングを設定する。  
（２）紙葉類検知装置５２〜５６での紙葉類Ｐのデータ処理サンプリングを設定する。  
（３）紙葉類検知装置５２〜５６での特徴抽出範囲を設定する。
【００４０】
各紙葉類検知装置５２〜５６で上記（１）〜（３）の変更が終了すると、その結果を検知制御部５１に通知する（Ｓ１３ａ〜Ｓ１７ａ）。
【００４１】
検知制御部５１は、上記各紙葉類検知装置５２〜５６からの通知（Ｓ１３ａ〜Ｓ１７ａ）を受け、その結果を主制御部３７に通知する（Ｓ１２ａ）。
【００４２】
以上の処理を経て、操作表示部２から入力された搬送速度設定データによって設定された搬送速度で紙葉類の搬送・判別・集積が行われる。
【００４３】
図４は、搬送速度切換えスイッチを用いた搬送速度変更を説明するフローチャートである。
【００４４】
供給部１０に供給される紙葉類束Ｐｓの品質が良好で有るかどうか操作員が判断する（Ｓ２０）。この判断の結果、もし、紙葉類束Ｐｓの品質が標準品質である場合には（Ｓ２０のＹｅｓ）、搬送速度の変更は必要ないため、標準の搬送速が設定される（Ｓ２１）。
【００４５】
次に、この標準の搬送速度に基づいて搬送速度切換え処理（図３で説明した処理）が行われ、標準搬送速度で紙葉類Ｐが搬送され処理される。
【００４６】
ステップＳ２０において、紙葉類束Ｐｓの品質が良好でない場合（Ｓ２０のＮｏ）、搬送速度切換えスイッチをオンにする（Ｓ２２）。
【００４７】
この搬送速度切換えスイッチオンに基づく搬送速度が読み出されて設定される。この場合の搬送速度は、例えば、標準搬送速度の９０％で搬送するなど事前に設定される。この設定された搬送速度に基づいて搬送速度切換え処理が行われる（Ｓ２４）。
【００４８】
以上説明した方法によって、処理する紙葉類束の品質が悪い場合には低速搬送して紙葉類を処理することが可能になり。品質の悪い紙葉類Ｐにダメージを与えず処理することが可能になる。
【００４９】
図５は、ジョグダイヤル２ｂを用いた搬送速度変更を説明するフローチャートである。
【００５０】
本実施例では、正損判別レベルの設定に応じてジョグダイヤル２ｂを設定する場合を説明する。
【００５１】
最初に、操作表示部２から操作員によって正損判別レベルが設定される（例えば、正損判別レベル５が設定される。）（Ｓ３０）。
【００５２】
次に、この正損判別レベル５に合わせてジョグダイヤル２ｂを５に設定する（Ｓ３１）。
【００５３】
次に、このジョグダイヤル２ｂの値に対応して設けられた搬送速度が読み出されて設定される（Ｓ３２）。
【００５４】
次に、この設定された搬送速度に基づいて搬送速度切換え処理（図３で説明した処理）が行われる。
【００５５】
この結果、供給部１０に供給された紙葉類Ｐは、ジョグダイヤル２ｂで設定した搬送速度によって搬送される。
【００５６】
以上説明した方法によって、図４に示した搬送速度切換えスイッチによる搬送速度変更の場合に比べて、きめ細かく搬送速度を設定することができる。
【００５７】
以上説明したように、本発明の実施例１によれば、処理する紙葉類束Ｐｓ品質によって設定した搬送速度で当該紙葉類束の処理が行われる。この結果、損券の比率の多い紙葉類束Ｐｓは低速で搬送されて処理されるため、搬送時のジャム発生の比率を低減することができ、総合的に紙葉類の処理能力が向上する。
【実施例２】
【００５８】
図６は、本発明の実施例２に係る搬送速度を設定する方法を説明するフローチャートである。本実施例では実施例１に示す図１又は図３に示す構成は共通であり、その方法のみが異なるため、共通する部分の説明は省略する。
【００５９】
本発明の実施例２は、実施例１において設定した紙葉類Ｐの搬送速度を、前に処理した紙葉類束Ｐｓの平均正損判別レベルを算出し、その平均正損判別レベルによって次に処理する紙葉類束Ｐｓの搬送速度を設定する方法である。
【００６０】
最初に、操作員によって処理する紙葉類束Ｐｓの券種、搬送方向、正損判別レベルが操作表示部２の画面から設定される（Ｓ４０）。
【００６１】
上記正損判別レベルに基づいて搬送速度データが読み出され設定される（Ｓ４１）。
【００６２】
次に、この設定された搬送速度に基づいて搬送速度切換え処理が行われる（Ｓ４２）。
【００６３】
この切換え処理によって設定された搬送速度で供給部１０に供給された紙葉類束Ｐｓ（例えば、１０００枚紙葉類束）の最上面の紙葉類Ｐから順番に搬送され、紙葉類判別部５０によって当該紙葉類Ｐの正損レベルが生成され、判別、処理される。続けて搬送された紙葉類Ｐについても同様の処理が行われ、当該紙葉類Ｐは、その正損レベルが先に算出された正損レベルに加算される。以上の処理が、供給された紙葉類束（１０００紙葉類）Ｐｓに付いて行われる（Ｓ４３）。
【００６４】
上記加算された正損レベルの合計値と供給枚数から平均正損レベルを算出する（Ｓ４４）。
【００６５】
紙葉類処理装置１による新規紙葉類束Ｐｓの処理を行う場合（Ｓ４５のＮｏ）、上記算出した平均正損レベルに基づき搬送速度データが読み出され、次の紙葉類束Ｐｓの搬送速度が設定される（Ｓ４６）。
【００６６】
次に、設定された搬送速度に基づいて搬送速度切換え処理が行われる（Ｓ４２）。以下、上述した処理が繰り返される。
【００６７】
以上の処理を経て、紙葉類処理装置１の搬送速度が設定される。この方法によれば、処理する１０００枚紙葉類の搬送速度がその前に処理した紙葉類束の正損判別レベルによって設定される。
【００６８】
なお、上述した説明においては、１０００枚紙葉類Ｐｓを処理するごとに正損判別レベルを再設定する方法を説明せたが、これに限られるものではなく、２０００枚紙葉類束又は処理するロットごとに再設定することも可能である。その場合は、再設定のインターバルを操作表示画面２から設定できるように入力画面を構成し、券種、方搬送方向、正損判別レベルの設定と同様に設定可能である。
【００６９】
以上説明したように、本発明の実施例２によれば、最初に処理した１０００枚紙葉類束の平均正損判別レベルによって次の紙葉類束Ｐｓの搬送速度を設定することができる。この方法によれば、紙葉類束の品質（正損判別レベル）が紙葉類処理装置によって判別され、その判別結果から算出された平均正損判別レベルに応じて搬送速度が設定される。従って、処理する紙葉類束Ｐｓの品質が悪い場合には搬送速度が低下する。この結果、紙葉類束Ｐｓの品質に応じて搬送速度が設定されるので、紙葉類束Ｐｓの品質が悪い紙葉類Ｐは低速に搬送されて処理されるため、非処理中のジャムの発生を低減することが可能である。
【図面の簡単な説明】
【００７０】
【図１】本発明の実施例１に係る搬送速度を可変することができる紙葉類装置。
【図２】本発明の実施例１に係るスイッチ及びジョグダイヤル。
【図３】図１に示す紙葉類処理装置において、パラメータ設定手段の流れを説明する図。
【図４】搬送速度切換えスイッチを用いた搬送速度変更を説明するフローチャート。
【図５】ジョグダイヤルを用いた搬送速度変更を説明するフローチャート。
【図６】本発明の実施例２に係る搬送速度を設定する方法を説明するフローチャート。
【符号の説明】
【００７１】
Ｐ  紙葉類
Ｐｓ  紙葉類束（１０００枚紙葉類）
Ｇ１〜Ｇ４  分岐ゲート
１  紙葉類処理装置
１０  供給部
１０Ａ  取出ロータ
２０  搬送路
２１  取出検知部
３０〜３３  集積装置
３４  排除券集積庫
３６  搬送制御部
３７  主制御部
５０  紙葉類判別部
５１〜５６  紙葉類検知装置
【図１】
2009102090.tif 000003
【図２】
2009102090.tif 000004
【図３】
2009102090.tif 000005
【図４】
2009102090.tif 000006
【図５】
2009102090.tif 000007
【図６】
2009102090.tif 000008